【手続補正書】
【提出日】平成18年7月3日(2006.7.3)
【手続補正１】
【補正対象書類名】明細書
【補正対象項目名】発明の名称
【補正方法】変更
【補正の内容】
【発明の名称】浄水機能付きシャワ−ヘッドの水質浄化用カートリッジ
【手続補正２】
【補正対象書類名】明細書
【補正対象項目名】特許請求の範囲
【補正方法】変更
【補正の内容】
【特許請求の範囲】
【請求項１】
直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、
活性炭を主成分とする水質浄化材を円筒形に形成し、
この水質浄化材の一方の端部には円筒形の端面と中央空間部の開口とを閉鎖するキャップを設け、他方の端部には円筒形の端面を閉鎖し中央空間部に連通する貫通孔を穿設したキャップを設けた
ことを特徴とする浄水機能付きシャワ−ヘッドの水質浄化用カートリッジ。
【請求項２】
直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、
活性炭を主成分とする水質浄化材を円筒形に形成し、
前記水質浄化材を一方の端部で円筒形の端面と中央空間部の開口とを閉鎖するキャップと、他方の端部で円筒形の端面を閉鎖するとともに中央空間部に連通する貫通孔を穿設したキャップと、通水孔が設けられて前記水質浄化材の外周を覆うキャップとを組み合わせたケースに収容した
ことを特徴とする浄水機能付きシャワ−ヘッドの水質浄化用カートリッジ。
【請求項３】
直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、
活性炭を主成分とする水質浄化材を円筒形に形成し、
前記水質浄化材を両方の端部でそれぞれ円筒形の端面が閉鎖されるとともに中央空間部に連通する貫通孔が穿設された各キャップと、通水孔が設けられて前記水質浄化材の外周を覆うキャップとを組み合わせたケースに収容した
ことを特徴とする浄水機能付きシャワ−ヘッドの水質浄化用カートリッジ。
【請求項４】
前記円筒形の端面を閉鎖し中央空間部に連通する貫通孔を穿設したキャップの外端面側に筒状の流路を形成し、この流路の全面に殺菌セラミックを充填した
ことを特徴とする請求項１または請求項２に記載の浄水機能付きシャワ−ヘッドの水質浄化用カートリッジ。
【請求項５】
前記水質浄化材の外周面には浄化された混合水が通過可能で均等な厚さに殺菌セラミックを配設した
ことを特徴とする請求項３記載の浄水機能付きシャワ−ヘッドの水質浄化用カートリッジ。
【手続補正３】
【補正対象書類名】明細書
【補正対象項目名】０００１
【補正方法】変更
【補正の内容】
【０００１】
【発明の属する技術分野】
本発明は、台所または厨房、洗面所あるいは風呂場等で用いられ、使用時に吐出する水および／または湯を浄化する能力を具備した浄水機能付きシャワーヘッドの水質浄化用カートリッジ。
【手続補正４】
【補正対象書類名】明細書
【補正対象項目名】０００４
【補正方法】変更
【補正の内容】
【０００４】
【発明が解決しようとする課題】
本発明は、従来の技術における前記問題点を解消するためのものであり、そのための課題は、切換弁の形状、構造および収容容積等の制約を大幅に緩めるとともに取扱上もバランスの良い形状・構造にすることができる浄水機能付きシャワーヘッドを実現するための、浄水機能付きシャワーヘッドの水質浄化用カートリッジを提供することにある。
【手続補正５】
【補正対象書類名】明細書
【補正対象項目名】０００５
【補正方法】変更
【補正の内容】
【０００５】
【課題を解決するための手段】
前記課題を効果的に解決できるよう具体的に構成された手段としての、本発明における浄水機能付きシャワーヘッドの水質浄化用カートリッジに係る第１の課題解決手段は、直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、活性炭を主成分とする水質浄化材を円筒形に形成し、この水質浄化材の一方の端部には円筒形の端面と中央空間部の開口とを閉鎖するキャップを設け、他方の端部には円筒形の端面を閉鎖し中央空間部に連通する貫通孔を穿設したキャップを設けたことを特徴とするものである。
【手続補正６】
【補正対象書類名】明細書
【補正対象項目名】０００６
【補正方法】変更
【補正の内容】
【０００６】
同上第２の課題解決手段としては、直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、活性炭を主成分とする水質浄化材を円筒形に形成し、この水質浄化材を一方の端部で円筒形の端面と中央空間部の開口とを閉鎖するキャップと、他方の端部で円筒形の端面を閉鎖するとともに中央空間部に連通する貫通孔を穿設したキャップと、通水孔が設けられて前記水質浄化材の外周を覆うキャップとを組み合わせたケースに収容したことを特徴とする。
【手続補正７】
【補正対象書類名】明細書
【補正対象項目名】０００７
【補正方法】変更
【補正の内容】
【０００７】
同上第３の課題解決手段としては、直接手で持つことができるように形成した把持部の内部に水質浄化用カートリッジを内蔵することにより、前記水質浄化用カートリッジを透過する浄水流路と前記水質浄化用カートリッジを透過しない原水流路とを形成する浄水機能付きシャワ−ヘッドの水質浄化用カートリッジであって、活性炭を主成分とする水質浄化材を円筒形に形成し、この水質浄化材を両方の端部でそれぞれ円筒形の端面が閉鎖されるとともに中央空間部に連通する貫通孔が穿設された各キャップと、通水孔が設けられて前記水質浄化材の外周を覆うキャップとを組み合わせたケースに収容したことを特徴とする。
【手続補正８】
【補正対象書類名】明細書
【補正対象項目名】０００８
【補正方法】変更
【補正の内容】
【０００８】
同上第４の課題解決手段としては、第１または第２の課題解決手段において、前記円筒形の端面を閉鎖し中央空間部に連通する貫通孔を穿設したキャップの外端面側に筒状の流路を形成し、この流路の全面に殺菌セラミックを充填したことを特徴とする。
【手続補正９】
【補正対象書類名】明細書
【補正対象項目名】０００９
【補正方法】変更
【補正の内容】
【０００９】
また、同上第５の課題解決手段としては、第３の課題解決手段において、前記水質浄化材の外周面には浄化された混合水が通過可能で均等な厚さに殺菌セラミックを配設したことを特徴とする。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】０１２０
【補正方法】変更
【補正の内容】
【０１２０】
【発明の効果】
以上のように本発明における浄水機能付きシャワーヘッドの水質浄化用カートリッジに係る第１の課題解決手段では、活性炭を主成分とする水質浄化材の両端部のみを支持する形状に形成して濾過材の大部分が直に混合水中に露出するようにしたことにより、濾過材外周側を通過する混合水によって、浄水吐出時に濾過材の表面に溜まった蓄積物を洗い流すことができ、目詰まりが起こりにくくするとともに水質浄化材の劣化を防止して、長時間水質浄化性能を高レベルに維持することができる。
この水質浄化用カートリッジを使用した浄水機能付きシャワーヘッドでは、水質浄化用カートリッジを把持部に収容して水質を切り換えるための流路切換弁を頭部に設けることができるようになり、流路切換弁の組み込みに係る制約が大幅に緩和でき、しかも頭部と把持部との重量バランスの良い配分にすることができ、取扱い易い形状・構造にすることができる。
【手続補正２２】
【補正対象書類名】明細書
【補正対象項目名】０１２１
【補正方法】変更
【補正の内容】
【０１２１】
同上第２の課題解決手段では、水質浄化用カートリッジの内蔵により形成される浄水流路と原水流路とが、前記水質浄化用カートリッジの外周側流路を原水流路の一部とし、この外周側流路から前記水質浄化用カートリッジに設けられた水質浄化材を介して中心部に形成された中央空間部に至る流路を浄水流路の一部として形成でき、把持部の構造が単純になって水質浄化材の内容物をより多く収納できるようになり、また、外周側流路では浄水吐出時に蓄積された目詰りを引き起こすような固形物質を原水吐出時に洗い流すことができて、目詰りしにくくするとともに水質浄化用カートリッジの寿命を長くすることができる。
この水質浄化用カートリッジを使用した浄水機能付きシャワーヘッドでは、水質浄化用カートリッジを把持部に収容して水質を切り換えるための流路切換弁を頭部に設けることができるようになり、流路切換弁の組み込みに係る制約が大幅に緩和でき、しかも頭部と把持部との重量バランスの良い配分にすることができ、取扱い易い形状・構造にすることができる。
【手続補正２３】
【補正対象書類名】明細書
【補正対象項目名】０１２２
【補正方法】変更
【補正の内容】
【０１２２】
同上第３の課題解決手段では、水質浄化用カートリッジの内蔵により形成される浄水流路と原水流路とが、前記水質浄化用カートリッジの中央空間部を原水流路の一部とし、この中央空間部から前記水質浄化用カートリッジに設けられた水質浄化材を介して外周側流路に至る流路を浄水流路の一部として形成でき、流路構成が一層簡素化できるとともにコンパクトにでき、把持部および水質浄化用カートリッジの構造がより単純になって水質浄化材の内容物をより多く収納でき、また、水質浄化材よりも中心側の原水流路では、浄水吐出時に蓄積された目詰りを引き起こすような固形物質を原水吐出時に洗い流すことができて、目詰りしにくくするとともに水質浄化用カートリッジの寿命を長くすることができる。
この水質浄化用カートリッジを使用した浄水機能付きシャワーヘッドでは、水質浄化用カートリッジを把持部に収容して水質を切り換えるための流路切換弁を頭部に設けることができるようになり、流路切換弁の組み込みに係る制約が大幅に緩和でき、しかも頭部と把持部との重量バランスの良い配分にすることができ、取扱い易い形状・構造にすることができる。
【手続補正２４】
【補正対象書類名】明細書
【補正対象項目名】０１２３
【補正方法】変更
【補正の内容】
【０１２３】
同上第４の課題解決手段では、第１または第２の課題解決手段において、中央空間部に連通する貫通孔を穿設した方のキャップの外端面に殺菌セラミックを充填した追加のキャップを嵌合して水質浄化用カートリッジの下流側に殺菌セラミックを配設できるようにしたことにより、水質浄化用カートリッジにより浄化された混合水が、中央空間部から出た直後に殺菌セラミックにより滅菌・殺菌され、浄化された混合水に雑菌が繁殖しないようにすることができる。
【手続補正２５】
【補正対象書類名】明細書
【補正対象項目名】０１２４
【補正方法】変更
【補正の内容】
【０１２４】
同上第５の課題解決手段では、第３の課題解決手段において、水質浄化材の外周面全面に殺菌セラミックを周設したことにより、水質浄化材を透過して浄化された混合水が直ちに殺菌セラミック層を通過して滅菌・殺菌され、浄化された混合水に雑菌が繁殖しないようにすることができる。
【手続補正２６】
【補正対象書類名】明細書
【補正対象項目名】０１２５
【補正方法】削除
【補正の内容】
【手続補正２７】
【補正対象書類名】明細書
【補正対象項目名】０１２６
【補正方法】削除
【補正の内容】
【手続補正２８】
【補正対象書類名】明細書
【補正対象項目名】０１２７
【補正方法】削除
【補正の内容】
【手続補正２９】
【補正対象書類名】明細書
【補正対象項目名】０１２８
【補正方法】削除
【補正の内容】
【手続補正３０】
【補正対象書類名】明細書
【補正対象項目名】０１２９
【補正方法】削除
【補正の内容】
【手続補正３１】
【補正対象書類名】明細書
【補正対象項目名】０１３０
【補正方法】削除
【補正の内容】
【手続補正３２】
【補正対象書類名】明細書
【補正対象項目名】０１３１
【補正方法】削除
【補正の内容】
【手続補正３３】
【補正対象書類名】明細書
【補正対象項目名】０１３２
【補正方法】削除
【補正の内容】
【手続補正３４】
【補正対象書類名】明細書
【補正対象項目名】０１３３
【補正方法】削除
【補正の内容】
【手続補正３５】
【補正対象書類名】明細書
【補正対象項目名】０１３４
【補正方法】削除
【補正の内容】
【手続補正３６】
【補正対象書類名】明細書
【補正対象項目名】０１３５
【補正方法】削除
【補正の内容】